(57)【特許請求の範囲】
【請求項１】
天井裏に配設された給水管に接続され、天井板に設けた取付穴から室内に臨んで設置されたスプリンクラヘッドを有し、該スプリンクラヘッドを固定装置により前記天井板に固定するようにしたスプリンクラ消火設備であって、
前記固定装置を、外壁上部の対向位置に支持腕を有しスプリンクラヘッドに嵌合される円筒部、及び該円筒部の下端部に設けられ前記支持腕の下方にねじ挿通穴を有するフランジを一体に構成した本体部と、長手方向に長穴を有し前記支持腕に回動自在に装着されて前記本体のフランジとの間に天井板を挟持するアームと、前記本体のフランジに設けたねじ挿通穴からアームの長穴に挿通され、該アームの上面側においてナットに螺合された固定用ねじとによって構成したことを特徴とするスプリンクラ消火設備。
【請求項２】
天井裏に配設された給水管に接続され、天井板に設けた取付穴から室内に臨んで設置されたスプリンクラヘッドを有し、該スプリンクラヘッドを固定装置により前記天井板に固定するようにしたスプリンクラ消火設備であって、
前記固定装置を、下部に対向位置にねじ挿通穴が設けられたフランジを有し、スプリンクラヘッドに嵌合される円筒状の本体と、該本体に嵌合される円筒状のリング部、該リング部の上部対向位置に設けられた弾性を有し、前記本体のフランジとの間に天井板を挟持するほぼ逆Ｊ字状のアーム、及びねじ挿通穴を有し前記アームの下方においてリング部に設けられたブラケットからなる可動部と、該可動部のねじ挿通穴に挿通され、前記ブラケットのねじ穴に螺入される固定用ねじとによって構成したことを特徴とするスプリンクラ消火設備。
【請求項３】
天井裏に配設された給水管に接続され、天井板に設けた取付穴から室内に臨んで設置されたスプリンクラヘッドを有し、該スプリンクラヘッドを固定装置により前記天井板に固定するようにしたスプリンクラ消火設備であって、
前記固定装置を、少なくとも対向位置に上下方向に切除された切除部を有し、スプリンクラヘッドに遊嵌される円筒部、前記切除部の両側にねじ挿通穴を有し前記円筒部の下端部に設けられたフランジ、及び切除部の外側において該切除部の中間部より下方に設けられた竪壁からなる本体と、長手方向に長穴を有し一端が直角に折り曲げられて前記本体の切除部内に該切除部と直交してスライド可能に配設され、前記本体のフランジとの間に天井板を挟持するスライドアームと、前記本体のフランジに設けたねじ挿通穴ンから前記スライドアームの長穴に挿通され、該スライドアームの上面側においてナットに螺合された固定用ねじとによって構成したことを特徴とするスプリンクラ消火設備。
【請求項４】
少なくとも円筒部又は嵌合部の内壁に複数の係止用突起を設けたことを特徴とする請求項１，２又は３のいずれかに記載のスプリンクラ消火設備。
【発明の詳細な説明】
【０００１】
【発明の属する技術分野】
本発明は、スプリンクラ消火設備に係り、さらに詳しくは、スプリンクラヘッドの取付構造の改良に関するものである。
【０００２】
【従来の技術】
例えば、ビルやマンションの天井裏は、一般に天井スラブに埋設された吊具を用いて天井板を吊設し、あるいは吊具により水平に渡されたＣチャンネルを吊設してこのＣチャンネルの下面に天井板を取付けている。この場合、天井スラブと天井板との間には、マンションの場合は通常１００ｍｍ程度のすき間が形成され、ビルの場合はこれより広いすき間が形成されている。
【０００３】
一方、スプリンクラ設備の配管は、ビルの壁などに沿って設置され、ポンプから消火用水を供給する本管と、本管から分岐して各階の天井裏に配設され、天井スラブに埋設された吊り金具に支持固定された給水管と、先端部にスプリンクラヘッドが接続されて給水管に接続された立下り管とからなり、この立下り管はスプリンクラヘッドが所定の間隔で天井から部屋に臨むように配設されている。
【０００４】
このような天井裏に配設された立下り管にスプリンクラヘッドを接続して所定の位置に固定する固定構造の一例を図１２に示す。７１は所定の間隔で一端が天井スラブ（図示せず）に埋設された吊り具に水平に吊設されたＣチャンネル、２はＣチャンネル７１に取付けられた天井板で、スプリンクラヘッドの取付穴３が設けられている。なお、天井板２は、一端が天井スラブに埋設された吊り具に直接吊設する場合もある。
７２は隣接するＣチャンネル７１の対向位置に長手方向に移動可能に装着された取付金具、７３はＣチャンネル７１と直交して取付金具に取付けられたバーである。
【０００５】
７４は対向する水平片７５とこれを連結する垂直片７６からなる固定金具で、水平片７５には穴７７が設けられており、垂直片７６には固定ねじ７８が螺入されている。
４は一端が天井スラブに埋設された吊り金具（図示せず）に固定された給水管、６は先端部にめねじを有し、給水管４に接続された立下り管、７は立下り管６の先端部に接続されたスプリンクラヘッドである。
【０００６】
上記のような固定装置においては、固定金具７４をバー７３に嵌合してその穴７７に立下り管６を挿通し、バー７３をＣチャンネル７１に沿って移動させると共に、固定金具７４をバー７３に沿って移動させ、立下り管６を天井板２に設けた取付穴３の中心部に位置させ、取付金具７２及び固定金具７４をその位置に固定する。そして、天井板２の下から取付穴３にスプリンクラヘッド７を挿入して立下り管６に螺入して接続し、必要に応じてスプリンクラヘッド７の周囲にシーリングプレート（図示せず）を取付ければ、取付を完了する。なお、このとき、スプリンクラヘッド７の下部は、天井板２又はシーリングプレートから突出している。
【０００７】
【発明が解決しようとする課題】
上記のようなスプリンクラヘッドの固定装置は構造が複雑で多くの部品を要し、その上狭い天井裏の作業になるため取付、調整がきわめて面倒で、多くの工数を必要とする。
また、地震で建物が揺れた場合、天井スラブに吊り金具で固定された給水管４、立下り管６及びスプリンクラヘッド７は建物と一体に揺れるが、天井スラブから吊下げられあるいは天井スラブから吊下げられたＣチャンネル７１に取付けられた天井板２は建物と異なった揺れ方で振動する。このため、天井板２に設けた取付穴３から室内に臨んでいるスプリンクラヘッド７が天井板２に当って損傷したり、給水管４や立下り管６を傷めたりすることがある。
このことは、地震の際に限らず、荷物の移動や室内の改装の際などに、間違って天井板３を揺らしてしまった場合も同様である。
【０００８】
本発明は、上記の課題を解決するためになされたもので、構造が簡単で、天井スラブと天井板との間が狭い場合でも容易かつ確実にスプリンクラヘッドを天井板に固定することができ、地震等の際にスプリンクラヘッドや給水管、立下り管などが損傷するおそれのないスプリンクラヘッドの固定装置を備えたスプリンクラ消火設備を得ることを目的としたものである。
【０００９】
【課題を解決するための手段】
（１）本発明に係るスプリンクラ消火設備は、天井裏に配設された給水管に接続され、天井板に設けた取付穴から室内に臨んで設置されたスプリンクラヘッドを有し、該スプリンクラヘッドを固定装置により前記天井板に固定するようにしたスプリンクラ消火設備であって、前記固定装置を、外壁上部の対向位置に支持腕を有しスプリンクラヘッドに嵌合される円筒部、及び該円筒部の下端部に設けられ前記支持腕の下方にねじ挿通穴を有するフランジを一体に構成した本体部と、長手方向に長穴を有し前記支持腕に回動自在に装着されて前記本体のフランジとの間に天井板を挟持するアームと、前記本体のフランジに設けたねじ挿通穴からアームの長穴に挿通され、該アームの上面側においてナットに螺合された固定用ねじとによって構成したものである。
【００１０】
（２）また、本発明に係るスプリンクラ消火設備は、天井裏に配設された給水管に接続され、天井板に設けた取付穴から室内に臨んで設置されたスプリンクラヘッドを有し、該スプリンクラヘッドを固定装置により前記天井板に固定するようにしたスプリンクラ消火設備であって、前記固定装置を、下部に対向位置にねじ挿通穴が設けられたフランジを有し、スプリンクラヘッドに嵌合される円筒状の本体と、該本体に嵌合される円筒状のリング部、該リング部の上部対向位置に設けられた弾性を有し、前記本体のフランジとの間に天井板を挟持するほぼ逆Ｊ字状のアーム、及びねじ挿通穴を有し前記アームの下方においてリング部に設けられたブラケットからなる可動部と、該可動部のねじ挿通穴に挿通され、前記ブラケットのねじ穴に螺入される固定用ねじとによって構成したものである。
【００１１】
（３）さらに、本発明に係るスプリンクラ消火設備は、天井裏に配設された給水管に接続され、天井板に設けた取付穴から室内に臨んで設置されたスプリンクラヘッドを有し、該スプリンクラヘッドを固定装置により前記天井板に固定するようにしたスプリンクラ消火設備であって、前記固定装置を、少なくとも対向位置に上下方向に切除された切除部を有し、スプリンクラヘッドに遊嵌される円筒部、前記切除部の両側にねじ挿通穴を有し前記円筒部の下端部に設けられたフランジ、及び切除部の外側において該切除部の中間部より下方に設けられた竪壁からなる本体と、長手方向に長穴を有し一端が直角に折り曲げられて前記本体の切除部内に該切除部と直交してスライド可能に配設され、前記本体のフランジとの間に天井板を挟持するスライドアームと、前記本体のフランジに設けたねじ挿通穴ンから前記スライドアームの長穴に挿通され、該スライドアームの上面側においてナットに螺合された固定用ねじとによって構成したものである。
【００１２】
（４）上記（１）、（２）又は（３）のスプリンクラ消火設備において、少なくとも円筒部又は嵌合部の内壁に複数の係止用突起を設けたものである。
【００１６】
【発明の実施の形態】
実施形態１
図１は本発明の実施形態１の全体構成を示す説明図である。図において、１は天井スラブ、２は一端が天井スラブ１に埋設された吊り具（図示せず）に吊設された天井板で、スプリンクラヘッドを取付ける取付穴３が設けられている。なお、天井板２は、吊り具に吊設されたＣチャンネルに取付けられる場合もある。
【００１７】
４は金属製や樹脂製の可撓管、あるいは樹脂管などの変形性を有する給水管で、その基端は例えば本管やヘッダに接続されており、その途中が天井スラブ１に埋設された吊り金具５によって落下しないように支持されている。６は端部にスプリンクラヘッド７が接続され、基端が給水管４に接続されたエルボの如き立下り管である。なお、８はスプリンクラヘッド７を立下り管６に螺入する際に工具を係止する鍔部で、通常六角形に形成されている。１０はスプリンクラヘッド７を天井板２に固定する固定装置を構成する固定具である。
【００１８】
図２は固定具１０の平面図、図３は固定具の取付状態を示す縦断面図である。両図において、１１は例えば樹脂成形品からなり、シーリングプレートを兼ねた本体で、１２はフランジ、１３はフランジ１２の中心部に立設された円筒部であって、その内径はスプリンクラヘッド７の鍔部８の外径とほぼ等しく形成されており、内周面には複数の係止用突起（図示せず）が設けられている。１４は大径部と小径部からなり、円筒部１３の両側においてフランジ１２に設けられたねじ挿通穴、１５はねじ挿通穴１４の上方において円筒部１３の外壁に設けた支持腕である。
【００１９】
１６はほぼへ字状の金属板からなり、ピン１８により支持腕１５に蝶番状に装着されたアームで、長手方向に長穴１７が設けられている。１９はフランジ１２に設けたねじ挿通穴１４からアーム１６の長穴１７に挿通された固定用ねじ、２０は両側にアーム１６に係止する回り止め用爪２１を有するナットである。２２は例えばゴム材料からなり、ねじ挿通穴１４の大径部の開口部を閉塞する目隠しピースである。
【００２０】
次に、上記のように構成した本実施形態に係る固定具１０の作用について説明する。なお、給水管４の先端部に立下り管６を介して取付けられたスプリンクラヘッド７は、天井板２の取付穴３から突出しており、スプリンクラヘッド７を押すと揺れるようになっているものとする。
先ず、両固定用ねじ１９を緩めてナット２０を先端部側に移動させ、図３の右側に示すようにアーム１６を起立させる。このとき、両アーム１６の先端部の間隔は、取付穴３の径より狭くなっている。
【００２１】
この状態で、アーム１６と共に円筒部１３を天井板２の取付穴３に挿入してスプリンクラヘッド７に嵌合し、フランジ１２が天井板２の下面に当接するまで差込む。これにより、円筒部１３の内壁に設けた係止用突起がスプリンクラヘッド７の鍔部８に係止し、スプリンクラヘッド７はその位置に固定される。なお、鍔部８に溝を設け、この溝に係止用突起を係止させるようにしてもよい。
【００２２】
次に、固定用ねじ１９の頭部を持って下方に引張ると、アーム１６はナット２０に押されて横に倒れる。そして、固定用ねじ１９を締めれば、アーム１６の先端部は図３の左側に示すように天井板２の上面に喰い込み、天井板２をフランジ１２とアーム１６により挟持し、固定具１０は天井板２に固定される。このとき、ナット２０はアーム１６に係止する回り止め用爪２１により回転が阻止される。固定用ねじ１９の締め付けが終了したときは、ねじ挿通穴１４の大径部に目隠しピース２２を装着する。
【００２３】
なお、事務所ビルのように天井裏に余裕があり、天井板２を取付けたのちに天井裏側からスプリンクラヘッド７を取付ける場合は、あらかじめ天井板２の取付穴３に固定具１０を取付けておき、天井裏側から固定具１０の円筒部１３にスプリンクラヘッド７を嵌入し、固定するようにすればよい。
【００２４】
上記のように構成した本実施形態に係る固定具１０は、構造が簡単で、天井板２への取付け及びスプリンクラヘッド７の固定がきわめて容易である。また、地震時においては、可撓管あるいは樹脂管等の給水管４に接続されたスプリンクラヘッド７は天井板２と一体に揺れるので、スプリンクラヘッドや立ち上り管６、給水管などが損傷することもない。
【００２５】
実施形態２
図４は実施形態２の固定具の取付状態を示す縦断面図、図５はその分解斜視図である。なお、実施形態１と同じ部分にはれこれと同じ符号を付し、説明を省略する。
図において、１０は本体２５と可動部３１とかなる固定具、４１はシーリングプレートである。本体２５は円筒部２６と円筒部２６の下部に設けたフランジ２７とからなり、円筒部２６の内径はスプリンクラヘッド７の鍔部８の外径とほぼ等しく形成されて、内壁には複数の係止用突起２８が設けられている。２９はフランジ２７の対向位置に円筒部２６の外壁に沿って設けられた穴、３０は穴２９の外側に設けられた固定用ネジ４０のねじ挿通穴である。
【００２６】
可動部３１において、３２はばね材からなるリング部で、その内径は本体２５の円筒部２６の外径より若干大きく形成されており、上縁部の対向位置にはねじ挿通穴３４を有するほぼ逆Ｕ字状の取付片３３が形成され、下縁部には取付片３３の下方において指表片３５が垂設されている。
３６は取付片３３と指表片３５の間において、リング部３２の外壁に固定されたＬ字状のブラケットで、その水平片にはねじ穴３７が設けられている。３８はねじ穴３９を有し両端部にＶ字状の切込みを有するアームで、取付片３３にねじ止めされている。なお、アーム３８の両端部にＶ字状の切込みを設けた場合を示したが、アーム３８の両端部の形状は適宜変更することができる。なお、取付片３３とアーム３８とによってＪ字状のアームが構成される。
【００２７】
４１はシーリングプレートで、ほぼ皿状のプレート４２と、その中心部に設けた円筒状の嵌合部４３とからなり、嵌合部４３の内径は固定具１０の円筒部２６の外径とほぼ等しく形成され、その内壁には複数の係止用突起４４が設けられている。
【００２８】
次に、本実施形態の作用を説明する。先ず、可動部３１を本体２５の円筒部２６に嵌合して指表片３５をフランジ２７に設けた穴２９内に挿入し、フランジ２７の下方からねじ挿通穴３０に挿通した固定用ねじ４０を可動部３１のブラケット３６のねじ穴３７に螺入して、両者を一体に組立てる。
ついで、両固定用ねじ４０を緩めて可動部３１を最上位に位置させ、アーム３８を取付片３３のばね性に抗して起立させながら固定具１０を天井板２の取付穴３に挿入し、円筒部２６をスプリンクラヘッド７の鍔部８に嵌合する。アーム３８が取付穴３から天井板２の上方（天井裏側）に出ると、図４の右側に示すように、取付片３３の付勢力によりアーム３３は再び外方に開く。
【００２９】
フランジ２７が天井板２の下面に当接したときは、本体２５の係止用突起２８がスプリンクラヘッド７の鍔部８に係止される。そして、両固定用ねじ４０を締めると、アーム３８の一端は円筒部２６の外壁に、他端は天井板２の上面に当接し、さらに固定用ねじ４０を締めることにより、両アーム３８の両端部は円筒部２６と天井板２に弾性的に係止する。
この結果、フランジ２７とアーム３８により天井板２を挟持し、固定具１０をその位置に固定する。なお、固定用ねじ４０の締付けにあたっては、左右のブラケット３６がほぼ同一平面上にあるように、フランジ２７に設けた穴２９から垂下する指表片３５の出方をみながら左右の固定用のじ４０を交互に締付ける。
【００３０】
固定具１０の取付けが終ったときは、シーリングプレート４１の嵌合部４３を固定具１０の円筒部２６の下部に嵌合する。このとき、嵌合部４３の内壁に設けた係止用突起４４が円筒部２６の外壁に係止され、シーリングプレート４１はその位置に保持される。また、スプリンクラヘッド７の先端部は、嵌合部４３から突出する。
【００３１】
本実施形態においても実施形態一の場合とほぼ同様の効果が得られるが、特に、アーム３８を弾性を有する取付片３３に取付けたので、固定具１０を天井板２に確実に取付けることができる。また、可動部３１に指表片３５を設けたので、その出方をみながら固定用ねじ４０を締めつけることにより、両アーム３８を等しい負荷で天井板２に当接させ、フランジ２７との間に挟持することができる。
【００３２】
実施形態３
図６は実施形態３の固定具１０の要部を示す斜視図で、本実施形態は実施形態２の可動部３１の他の構成に関するものである。本実施形態はやや厚めのばね材をプレスにより加工したもので、リング部３２ａの上縁部の対向位置に、ほぼ逆Ｊ字状の弾性を有するアーム３８ａを形成すると共に、下縁部のアーム３８ａの下方を外方に折曲げてねじ穴３７ａを有するブラケット３６ａを形成したものである。
【００３３】
本実施形態の作用も実施形態２の場合とほぼ同様であるが、アーム３８ａの先端部は天井板２の上面に弾性的に係止して、本体２５のフランジ２７との間に天井板２を挟持する。なお、指表片３５は設けていないので、本体２５のフランジ２７に穴２９を設ける必要はないが、固定用ねじ４０の締付けにあたっては、両ブラケット３７ａの位置がアンバランスにならないように調整することが必要である。
本実施形態においても実施形態２とほぼ同様の効果を得られるが、構造をより簡単にすることができる。
【００３４】
上記の実施形態２ではリング部３２に取付片３３を設け、この取付片３３にアーム３８を取付けた場合を示したが、実施形態２においても実施形態３のように、リング部３２に直接アーム３８ａを設けてもよく、また、指表片３５は省略してもよい。
また、実施形態２，３では、可動部３１全体をばね材で構成した場合を示したが、例えば、リング部３２，３２ａを通常の金属材料や合成樹脂で形成し、このリング部３２，３２ａにばね材からなる取付片３３又はアーム３８ａ、ブラケット３６，３６ａ等を取付けてもよく、さらに、ブラケット３６，３６ａをリング部３２，３２ａと一体に形成してもよい。
【００３５】
実施形態４
図７は実施形態４の固定具の平面図、図８はその取付状態を示す縦断面図、図９は本体の斜視図である。図において、１０は固定具である。４５は円筒部４６とフランジ４７からなる本体で、円筒部４６は等間隔で上下方向に設けた切除部４９により複数の円弧状片４８が形成されており、その内径はスプリンクラヘッド７の鍔部８の外径より大きく、その内壁にはそれぞれ複数の係止用突起５０が設けられている。
【００３６】
５１は対向する切除部４９の外側において切除部４９の中間部より下方に設けた竪壁、５２は他方の対向する切除部４９の外側に設けた竪壁、５３は竪壁５１の外側においてフランジ４７に設けたねじ挿通穴である。なお、切除部４９は対向する２か所のみに設けてもよい。
【００３７】
５４は一端が下方に傾斜したほぼＬ字状の一対のスライドアームで、長手方向には長穴５５が設けられている。５６はフランジ４７のねじ挿通穴５３に挿通され、スライドアーム５４の長穴５５に挿通されてスライドアーム５４の上面側に配設されたナット５７に螺入された固定用ねじである。なお、図示してないが、ナット５７にはスライドアーム５４に係止する回り止め用爪を設けてもよい。
【００３８】
６０はシーリングプレートで、皿状のプレート６１と、その中心部に立設された円筒状の嵌合部６２とからなり、嵌合部６２の外径は本体４５の円筒部４６の内径とほぼ等しく形成され、内径はスプリンクラヘッド７の鍔部８の外径とほぼ等しく形成されており、その外壁には円筒部４６の内壁に設けた係止用突起部に係止する係止部６３が、また、内壁にはスプリンクラヘッド７の鍔部８に係止する係止用突起部６４が設けられている。なお、嵌合部６２には弾性を付与するための複数のスリット６５が設けられている。このように、本実施形態においては、スライドアーム５４、固定用ねじ５６を有する本体４５と、シーリングプレート６０とにより固定具１０を構成している。
【００３９】
上記のような本実施形態において、天井板２に本体４５を取付けるには、先ず、本体４５の両スライドアーム５４を固定用ねじ５６に沿って円筒部４６の中心部方向に移動させる（図８の右側のスライドアーム５４の状態）。ついで、円筒部４６を取付穴３に挿入し、フランジ４７を天井板２の下面に当接させる。
【００４０】
そして、下から円筒部４６内に指などを入れてスライドアーム５４を外方にスライドせさ、その折曲げ片５４ａを円筒部４６の切除部４９内に挿入し、竪壁５１に当接させる（図８の左側のスライドアーム５４の状態）。このとき、スライドアーム５４の先端部は、天井板２の上面に当接する。この状態で固定用ねじ５６を締付ければ、スライドアーム５４が円筒部４６の切除部４９をガイドとして下降し、その先端部が天井板２の上面に喰い込んフランジ４７との間に天井板２を挟持し、本体４５はその位置に固定される。
【００４１】
次に、スプリンクラヘッド７を天井裏側から円筒部４６に挿通させ、その後、本体４５の円筒部４６とスプリンクラヘッド７の鍔部８との間に、シーリングプレート６０の嵌合部６２を嵌入する。このとき、嵌合部６２の外壁に設けた係止部６３は円筒部４６の内壁に設けた係止用突起５０に係止し、内壁に設けた係止用突起６４はスプリンクラヘッド７の鍔部８に係止して、スプリンクラヘッド７は固定具１０に固定される。なお、スプリンクラヘッド７の先端部は、シーリングプレート６０の嵌合部６２から突出する。なお、円筒部４６をフランジ４７の下方まで延伸し、この延伸部の外壁にシーリングプレート６０を係止させて取付けるようにしてもよい。この場合、円筒部４６の内壁に設けた係止用突起５０でスプリンクラヘッド７を固定できるように円筒部４６の内径の大きさを設定する。
本実施形態においても、実施形態１とほぼ同様の効果が得られる。
【００４２】
実施形態５
図１０は実施形態５の固定具の平面図、図１１はその取付状態を示す縦断面図である。固定具１０は円筒部７０とシーリングプレートを兼ねたフランジ７１とを樹脂成形により一体に構成したもので、円筒部７０の内径はスプリンクラヘッド７の鍔部８の外径とほぼ等しく形成され、内壁には複数の係止用突起が設けられている。７２は円筒部７０に弾性を付与するために設けたスリットである。７３はフランジ７１の少なくとも対向する２個所に設けた大径部と小径部からなるねじ挿通穴、７４はねじ挿通穴７３の大径部の開口部を閉塞する目隠しピースである。
【００４３】
上記のような固定具１０は、天井板２の取付穴３に挿入した円筒部７０をスプリンクラヘッド７の鍔部８に嵌合し、内壁に設けた係止用突起をスプリンクラヘッド７の鍔部８に係止させ、フランジ７１のねじ挿通穴７３に挿通したビス７５を天井板２に螺入して固定し、ねじ挿通穴７３の大径部の開口部を目隠しピース７４で閉塞すれば取付けが完了する。
本実施形態によれば、きわめて簡単な構造で、スプリンクラヘッド７を確実に天井板２に固定することができる。
【００４４】
上記の実施形態２，３及び５においては、スプリンクラヘッドを設置したのちに固定具によりスプリンクラヘッドを天井板に固定した場合を示したが、実施形態１でも説明したように、固定具を天井板に取付けてからこれにスプリンクラヘッドを固定してもよい。
【００４５】
【発明の効果】
（１）本発明に係るスプリンクラ消火設備は、天井裏に配設された給水管に接続され、天井板に設けた取付穴から室内に臨んで設置されたスプリンクラヘッドを有し、該スプリンクラヘッドを固定装置により前記天井板に固定するようにしたスプリンクラ消火設備であって、前記固定装置を、外壁上部の対向位置に支持腕を有しスプリンクラヘッドに嵌合される円筒部、及び該円筒部の下端部に設けられ前記支持腕の下方にねじ挿通穴を有するフランジを一体に構成した本体部と、長手方向に長穴を有し前記支持腕に回動自在に装着されて前記本体のフランジとの間に天井板を挟持するアームと、前記本体のフランジに設けたねじ挿通穴からアームの長穴に挿通され、該アームの上面側においてナットに螺合された固定用ねじとによって構成したので、構造が簡単で天井板への取付が容易であり、スプリンクラヘッドを天井板に確実に固定することができ、地震などによる損傷を防止することができる。
【００４６】
（２）また、本発明に係るスプリンクラ消火設備は、天井裏に配設された給水管に接続され、天井板に設けた取付穴から室内に臨んで設置されたスプリンクラヘッドを有し、該スプリンクラヘッドを固定装置により前記天井板に固定するようにしたスプリンクラ消火設備であって、前記固定装置を、下部に対向位置にねじ挿通穴が設けられたフランジを有し、スプリンクラヘッドに嵌合される円筒状の本体と、該本体に嵌合される円筒状のリング部、該リング部の上部対向位置に設けられた弾性を有し、前記本体のフランジとの間に天井板を挟持するほぼ逆Ｊ字状のアーム、及びねじ挿通穴を有し前記アームの下方においてリング部に設けられたブラケットからなる可動部と、該可動部のねじ挿通穴に挿通され、前記ブラケットのねじ穴に螺入される固定用ねじとによって構成したので、上記（１）とほぼ同様の効果を得ることができる。
【００４７】
（３）さらに、本発明に係るスプリンクラ消火設備は、天井裏に配設された給水管に接続され、天井板に設けた取付穴から室内に臨んで設置されたスプリンクラヘッドを有し、該スプリンクラヘッドを固定装置により前記天井板に固定するようにしたスプリンクラ消火設備であって、前記固定装置を、少なくとも対向位置に上下方向に切除された切除部を有し、スプリンクラヘッドに遊嵌される円筒部、前記切除部の両側にねじ挿通穴を有し前記円筒部の下端部に設けられたフランジ、及び切除部の外側において該切除部の中間部より下方に設けられた竪壁からなる本体と、長手方向に長穴を有し一端が直角に折り曲げられて前記本体の切除部内に該切除部と直交してスライド可能に配設され、前記本体のフランジとの間に天井板を挟持するスライドアームと、前記本体のフランジに設けたねじ挿通穴ンから前記スライドアームの長穴に挿通され、該スライドアームの上面側においてナットに螺合された固定用ねじとによって構成したので、上記（１）とほぼ同様の効果を得ることができる。
【００４８】
（４）上記（１）、（２）又は（３）のスプリンクラ消火設備において、少なくとも円筒部又は嵌合部の内壁に複数の係止用突起を設けたので、スプリンクラヘッドをより確実に固定することができる。
【図面の簡単な説明】
【図１】本発明の実施形態１の全体構成を示す説明図である。
【図２】図１の固定具の平面図である。
【図３】図１の固定具の取付状態を示す縦断面図である。
【図４】実施形態２の固定具の取付状態を示す縦断面図である。
【図５】図４の固定具の分解斜視図である。
【図６】実施形態３の固定具の要部の斜視図である。
【図７】実施形態４の固定具の平面図である。
【図８】図７の固定具の取付状態を示す縦断面図である。
【図９】図７の本体の斜視図である。
【図１０】実施形態５の固定具の平面図である。
【図１１】図１０の固定具の取付状態を示す平面図である。
【図１２】従来のスプリンクラヘッドの固定構造の一例の斜視図である。
【符号の説明】
１  天井スラブ
２  天井板
３  取付穴
４  給水管
６  立下り管
７  スプリンクラヘッド
８  鍔部
１０  固定具
１１，２５，４５  本体
１２，２７，４７，７１  フランジ
１３，２６，４６，７０  円筒部
１４，３０，５２，７３  ねじ挿通穴
１６，３８，３８ａ  アーム
１７，５５  長穴
１９，４０，５６  固定用ねじ
２８，４４，５０，６４  係止用突起
３１，３１ａ  可動部
３２，３２ａ  リング部
３６，３６ａ  ブラケット
４１，６０  シーリングプレート
４３，６２  嵌合部
【図１】
0003682612.tif 000002
【図２】
0003682612.tif 000003
【図３】
0003682612.tif 000004
【図４】
0003682612.tif 000005
【図５】
0003682612.tif 000006
【図６】
0003682612.tif 000007
【図７】
0003682612.tif 000008
【図８】
0003682612.tif 000009
【図９】
0003682612.tif 000010
【図１０】
0003682612.tif 000011
【図１１】
0003682612.tif 000012
【図１２】
0003682612.tif 000013